(57)【要約】      （修正有）【課題】物品よりも高さを有する包装箱内において物品を固定保持するとともに、包装箱から物品を取り出す際に簡便且つ物品を安定した姿勢で引き上げることが可能な台紙を有する包装箱の提供。【解決手段】上部開口を封止する蓋部２１を有する外箱２と、収納された物品を固定保持するための台紙１とからなる包装箱であって、台紙は、底板と、底板の一辺に連設された正面板１２と第一係合板１６と、正面板が連設された辺とは対向する辺部に連設された背面板、第二係合板１７、延長板１８、天板１９とを備え、組み立て時には、正面板と背面板は底板から立ち上げられ、第一係合板と第二係合板はそれぞれ正面板と背面板から収納物品側に折り曲げられ、延長板は第二係合片より外箱の蓋部方向へ立ち上げられ、天板は蓋部の内側に折り曲げられており、さらに、第一係合板と第二係合板は収納物品の係合部に係合可能に形成されていることを特徴とする包装箱。【選択図】図３
2020001721.tif 000002
【特許請求の範囲】
【請求項１】
上部開口を封止する蓋部（２１）を有する外箱（２）と、該外箱（２）内において収納された物品を固定保持するための台紙（１）とからなる包装箱であって、該台紙（１）は、底板（１１）と、該底板（１１）の一辺に順次連設された正面板（１２）と第一係合板（１６）と、該正面板（１２）が連設された辺とは対向する辺部に順次連設された背面板（１５）、第二係合板（１７）、延長板（１８）、天板（１９）とを備え、組み立て時には、該正面板（１２）と該背面板（１５）は該底板（１１）から立ち上げられ、該第一係合板（１６）と該第二係合板（１７）はそれぞれ正面板（１１）と背面板（１５）から収納物品側に折り曲げられ、該延長板（１８）は第二係合片（１７）より外箱（２）の蓋部（２１）方向へ立ち上げられ、該天板（１９）は該蓋部（２１）の内側に沿って延在するように折り曲げられており、さらに、前記第一係合板（１６）と前記第二係合板（１７）は収納物品の係合部に係合可能に形成されていることを特徴とする包装箱。
【請求項２】
前記第一係合片（１６）には、前記正面板（１２）と連設された辺部と対向する辺部に凹部（１０２）が形成されており、該凹部（１０２）の辺部（１０２ａ）が収納物品の係合部と係合し、さらに、前記第二係合片（１７）と前記延長板（１８）には、それらにまたがって孔部（１０１）が形成されており、該孔部（１０１）の第二係合板（１７）側の辺部（１０１ｂ）が収納物品の係合部と係合することを特徴とする請求項１に記載の包装箱。
【請求項３】
前記収納物品は蓋部（３２）と本体（３１）とからなる容器（３）であり、前記係合部は、該蓋部（３２）と該本体（３１）との間の凹状の隙間であることを特徴とする請求項１または２に記載の包装箱。
【請求項４】
前記延長板（１８）には、前記第二係合板（１７）との連設部の折り曲げ線（１１３）に並行して折り曲げ線（１１５）が形成されており、物品の収納時には、該折り曲げ線（１１５）において延長板（１８）が上方へと折り曲げられ、立ち上がっていることを特徴とする請求項１ないし請求項３のいずれか１項に記載の包装箱。
【請求項５】
前記延長板（１８）は斜め上方へ立ち上げられており、該延長板（１８）に対して前記第二係合板（１７）と前記天板（１９）はそれぞれ反対方向へ折り曲げられ、側面視で、Ｚ字状もしくは逆Ｚ字状となるように形成されていることを特徴とする請求項１ないし請求項４のいずれか１項に記載の包装箱。
【請求項６】
前記延長板（１８）と前記第二係合板（１７）の連設部の折り曲げ線（１１３）は、前記第二係合板（１７）の係合時に収納物品の中心とほぼ一致するように形成されていることを特徴とする請求項１ないし請求項５のいずれか１項に記載の包装箱。
【請求項７】
前記底板（１１）に、さらに、側板（１３）、（１４）が連設されていることを特徴とする請求項１ないし請求項６のいずれか１項に記載の包装箱。
【請求項８】
前記延長板（１８）が連設された辺部とは対向する前記天板（１９）の辺部に、さらに、第二延長板（１８１）を設けたことを特徴とする請求項１ないし請求項７のいずれか１項に記載の包装箱。
【発明の詳細な説明】
【技術分野】
【０００１】
本発明は、商品を収納する包装箱に関し、更に詳細には、包装箱内において商品を固定するとともに、包装箱から商品を取り出す際に商品を簡便に且つ安定した姿勢で引き上げることが可能な台紙を有する包装箱に関する。
【背景技術】
【０００２】
物品を収納するための収納箱は、一般的には収納される物品とほぼ同じ高さに形成されており、蓋部などで上から抑えることで物品を安定的に保持することができる。
【０００３】
一方、物品よりも高さを有する収納箱の場合、特に、高さの異なる複数の物品を収納する包装箱では、高さの低い物品の上部に生じる収納箱のデッドスペースを適切に処理しなければ、物品が包装箱内で動いてしまい、物品や包装箱の破損につながるおそれもある。
【０００４】
さらに、高さの低い物品に対しては包装箱が深すぎるため、包装箱から物品を取り出す際は、箱を傾けることにより、箱外へと滑り出させるなどする必要があったが、物品が割れ物などの場合、箱からの取り出しに伴う物品の破損のおそれが常にあった。
【０００５】
その点、包装箱からの物品の取り出しを補助するものとして、特許文献１には、側面板部の開口側端部を延長して容器の持ち手とする容器が開示され、また、特許文献２には、補助板の上面に形成された取手用の穴部に指を入れて引き出すことにより、物品を取り出すことができる梱包体が開示されている。
【０００６】
しかしながら、これらの従来技術では、両手で持ち手や取手を保持して引き上げる必要があり、片手で持ち上げようとした際、物品のバランスが偏り、箱内で引っ掛かりが生じてスムーズに取り出せない場合があり、特に、高さを有する収納箱から物品を取り出す際に、箱内における物品の移動距離が長くなる分、このような引っ掛かりが生じやすい傾向にあった。  
【０００７】
【特許文献１】特開２００６−３３５３６１
【特許文献２】特開２０１４−１８１０５９
【発明の概要】
【発明が解決しようとする課題】
【０００８】
そこで本発明は、従来の包装箱のかかる欠点を克服し、物品よりも高さを有する包装箱内において物品を固定保持するとともに、包装箱から物品を取り出す際に、簡便に且つ安定した姿勢で物品を引き上げることが可能な台紙を有する包装箱の提供をその課題とするものである。
【課題を解決するための手段】
【０００９】
本発明は、上記課題を解決するものであり、上部開口を封止する蓋部を有する外箱と、該外箱内において収納された物品を固定保持するための台紙とからなる包装箱であって、該台紙は、底板と、該底板の一辺に順次連設された正面板と第一係合板と、該正面板が連設された辺とは対向する辺部に順次連設された背面板、第二係合板、延長板、天板とを備え、組み立て時には、該正面板と該背面板は該底板から立ち上げられ、該第一係合板と該第二係合板はそれぞれ正面板と背面板から収納物品側に折り曲げられ、該延長板は該第二係合片より外箱の蓋部方向へ立ち上げられ、該天板は該蓋部の内側に沿って延在するように折り曲げられており、さらに、前記第一係合板と第二係合板は収納物品の係合部に係合可能に形成されていることを特徴とする包装箱である。
【００１０】
また本発明は、前記第一係合片には前記正面板と連設された辺部と対向する辺部に凹部が形成されており、該凹部の辺部が収納物品の係合部と係合し、さらに、前記第二係合片と前記延長板には、それらにまたがって孔部が形成されており、該孔部の第二係合板側の辺部が収納物品の係合部と係合することを特徴とする包装箱である。
【００１１】
また本発明は、前記収納物品は蓋部と本体とからなる容器であり、前記係合部は、該蓋部と該本体との間の凹状の隙間であることを特徴とする包装箱である。
【００１２】
また本発明は、前記延長板には、前記第二係合板との連設部の折り曲げ線に並行して折り曲げ線が形成されており、物品の収納時には、該折り曲げ線において延長板が上方へと折り曲げられ、立ち上がっていることを特徴とする包装箱である。
【００１３】
また本発明は、前記延長板は斜め上方へ立ち上げられており、該延長板に対して第二係合板と天板はそれぞれ反対方向へ折り曲げられ、側面視で、Ｚ字状もしくは逆Ｚ字状となるように形成されていることを特徴とする包装箱である。
【００１４】
また本発明は、前記延長板と前記第二係合板の連設部の折り曲げ線は、該第二係合板の係合時に収納物品の中心とほぼ一致するように形成されていることを特徴とする包装箱である。
【００１５】
さらに本発明は、前記底板に側板が連設されていることを特徴とする包装箱である。
【００１６】
さらに本発明は、前記延長板が連設された辺部とは対向する前記天板の辺部に、さらに、第二延長板を設けたことを特徴とする包装箱である。
【発明の効果】
【００１７】
本発明にかかる包装箱は、台紙の第一係合板と第二係合板が容器を上から抑えるとともに、延長板が外箱の蓋部との間で支えの役割を果たすため、容器が上方へ移動することを確実に防ぐことができる。
【００１８】
本発明にかかる包装箱は、台紙の天板が外箱の蓋部の内側に沿って延在するため、延長板が外箱内でずれ動くことを防ぎ、さらに、容器から延長板を介して上方へ加わる力を天板の面で分散するため、延長板により蓋部が押し開けられることなどを確実に防ぐことができる。
【００１９】
本発明にかかる包装箱で前記延長板が斜め上方へ立ち上げられたものは、第二係合板に対しては正面板方向へと力が加わり、第二係合板がより外れにくくなる。また、容器を抑える力も、外箱の蓋部に当接した延長板の上端部より斜め方向にかかるため、容器の横方向の揺れに対しても安定した保持力を発揮する。
【００２０】
本発明にかかる包装箱は、第一係合板と第二係合板が容器の蓋部の下部に係合した状態となっているため、台紙ごと容器を引き上げて外箱より取り出すことができる。
【００２１】
本発明にかかる包装箱で、前記延長板と前記第二係合板の連設部の折り曲げ線が容器の中心とほぼ一致するように形成されているものは、引き上げ時に容器が傾いたりせずに姿勢が安定し、よりスムーズに外箱から取り出すことが可能となる。
【図面の簡単な説明】
【００２２】
【図１】本発明の台紙の展開図。
【図２】（ａ）本発明の台紙の第一係合板を容器に係合させた状態を示す平面図、（ｂ）本発明の台紙の第二係合板を容器に係合させた状態を示す平面図。
【図３】本発明の包装箱に台紙と物品を収納した状態を示す斜視図。
【図４】本発明の包装箱に台紙と物品を収納した状態を模式的に示す図。
【図５】本発明の包装箱から台紙と物品を取り出す状態を模式的に示す図。
【図６】本発明の台紙の異なる実施態様の展開図。
【図７】本発明の台紙の異なる実施態様の展開図。
【発明を実施するための形態】
【００２３】
以下、本発明の包装箱の実施態様を、図面に基づいて具体的に説明する。なお、本発明はこれら実施態様に何ら制約されるものではない。
【００２４】
本発明の包装箱は、外箱２と、外箱２に収納される物品を内部で固定するための台紙１とからなる。外箱２は、物品を出し入れするための上部開口を封止する蓋部２１を有する箱体に形成されており、本実施態様では、高さを有する棒状物品４（例えばフレグランスディフューザー用のスティック）と高さの低い容器３（例えばフレグランス容器）とを収納可能に形成されている。なお、本発明の包装箱に収納される物品は、これらの容器や棒状物品に限定されない。さらに、外箱２は一般的な包装箱をそのまま利用することができるが、本実施態様では、側壁２２の内側面に棒状物品４を収納するための収納部２３が形成されている。
【００２５】
図１は、本発明に係る包装箱の台紙１の展開図である。台紙１は１枚のブランクシートを打ち抜いて形成されており、組み立て時に物品を包むような立方体を形成する底板１１、正面板１２、側板１３、側板１４、背面板１５、第一係合板１６、第二係合板１７と、第二係合板１７の端部に連設された延長板１８、延長板１８の端部に連設された天板１９とからなる。なお、側板１３、１４は必須ではなく省略することも可能であるが、物品の保護の観点からは側板１３、１４を設けることが好ましい。かかる側板１３、１４は、正面板１２もしくは背面板１５の左右辺部に設けてもよいが、物品を外箱２に収納しやすくなるため底板１１に設けることが好ましい。なお、本明細書において、台紙１の「正面」、「背面」、「側板」などの表現は、厳密に包装箱や外箱２の正面や背面、側面と対応するものではなく、説明の便宜上使用するものである。
【００２６】
図１に示すように、略正方形に形成された底面１１の四つの辺部には、折り曲げ線１１１を介して、正面板１２、側板１３、側板１４、背面板１５がそれぞれ連設され、底面１１が連設された辺部と対向する正面板１２の辺部には、折り曲げ線１１２を介して第一係合板１６が連設され、さらに、底板１１が連設された辺部と対向する背面板１５の辺部には、折り曲げ線１１２を介して第二係合板板１７が連設されている。
【００２７】
また、背面板１５が連設された辺部と対向する第二係合板１７の辺部には、折り曲げ線１１３を介して延長板１８が連設され、さらに、第二係合板１７が連設された辺部と対向する延長板１８の辺部には、折り曲げ線１１４を介して天板１９が連設されている。なお、延長板１８には、折り曲げ線１１３の近傍に折り曲げ線１１５が並行して設けられている。以上説明した各部材は、折り曲げ線１１１ないし１１５において山折りもしくは谷折り可能に形成されている。  
【００２８】
第一係合板１６には、正面板１２と連設された辺部と対向する辺部に、凹部１０２が形成されている。凹部１０２は、折り曲げ線１１２側の切れ込みの最も深い部分において円弧状であり、第一係合板１６の先端（図１では下端）方向へ同間隔に形成されるとともに、先端にかけて徐々に第一係合板１６の左右辺部へ緩やかな弧を描いて広がる溝部として切り欠き形成されている。
【００２９】
また、第二係合板１７と延長板１８にまたがって、一つの孔部１０１が形成されている。孔部１０１は、折り曲げ線１１３から延長板１８の先端（図１では上端）方向へ同間隔に形成されるとともに、先端側は円弧状に切り欠き形成されている。そして、折り曲げ線１１３から第二係合板１７の基端（図１では下端）方向には円弧状に切り欠き形成されている。そして、孔部１０１は折り曲げ線１１３部分において段差部１０１ａが形成され、延長板１８側よりも第二係合板１７側の幅が狭くなっている。
【００３０】
天板１９には、本実施態様のように指掛け部１０４を設けることが好ましい。本実施態様の指掛け部１０４は、延長板１８と連設された辺部とは対向する辺部に凹状に切り欠いて形成されているが、指掛け部１０４はこの態様に限定されず、天板１９の左右の辺部のいずれか、あるいは両方に凹状に切り欠いて形成したり、または、天板１９の一部に形成した孔部としてもよい。かかる指掛け部１０４に指を掛けて天板１９を引き上げることで、台紙１の取り出しが容易となる。
【００３１】
さらに、延長板１８には、必要に応じて切り欠き１０３を設けてもよい。本実施態様の切り欠き１０３は、延長板１８の左辺部より中央方向へ一定の幅を有する溝状に形成されており、物品収納時に、棒状物品４と延長板１８の干渉を防ぐことができる。
【００３２】
第一係合板１６と第二係合板１７は、ともに収納物品の係合部に係合可能に形成されている。図２（ａ）、（ｂ）により、その具体的な態様について説明する。図２（ａ）、（ｂ）は、収納物品の容器３に第一係合板１６、第二係合板１７をそれぞれ係合させた状態を、平面図で表している。なお、理解しやすいように、図２（ａ）では第二係合板１７を、図２（ｂ）では第一係合板１６の記載をそれぞれ省略する。
【００３３】
本実施態様の容器３は、略円筒状に形成された本体３１と、該本体３１の頸部に装着される蓋部３２とからなり、本体３１と蓋部３２の隙間には蓋部３２を冠着する頸部３３の一部が露出し、該頸部３３が、第一係合板１６の一部を挿し込み可能な凹部となっている。そして、第一係合板１６の凹部１０２の幅Ｗ１は蓋部３２の外径よりもやや幅が狭い切り欠きとなっており、且つ、本体３１の頸部３３よりも幅が広く形成されているため、第一係合板１６を本体３１と蓋部３２との隙間に挿し込み、凹部１０２内に頸部３３が完全に挿入された状態において、蓋部３２の周縁部の下に辺部１０２ａが位置する。これにより、第一係合板１６が容器３に対して係合する。
【００３４】
一方、第二係合板１７と延長板１８にまたがって形成されている孔部１０１は、延長板１８側の幅Ｗ２が蓋部３２の外径よりもやや幅が広く形成されているのに対し、第二係合板１７側の幅Ｗ３が、蓋部３２の外径よりもやや幅が狭く、且つ、本体３１の頸部３３よりも幅が広く形成されている。これにより、まず、延長板１８側から孔部１０１に蓋部３２を挿入し、蓋部３２が孔部１０１より完全に露出した状態とし、次に、第二係合板１７側へ蓋部３２を移動させ、本体３１と蓋部３２との隙間に第二係合板１７側を挿し込む。そして、第二係合板１７側の孔部１０１に頸部３３が挿入された状態となり、蓋部３２の周縁部の下に辺部１０１ｂが位置する。これにより、第一係合板１７が容器３に対して係合する。
【００３５】
なお、容器３側の係合部は本実施態様のような蓋部と本体との間の凹状の隙間に限定されず、第一係合板１６と第二係合板１７の一部を係合可能に形成されたアンダーカット状の凸部や凹部、あるいは括れ等であってもよい。
【００３６】
次に、本発明の包装箱に物品を収納した状態の台紙１の組み立て方法を説明する。まず、底板１１の上に容器３を載置し、正面板１２、側板１３、１４、背面板１５を底板１１からそれぞれ略垂直方向に立ち上げる。そして、第一係合板１６を正面板１２から容器３側へと略水平に折り曲げる。このとき、先に説明した要領で、第一係合板１６の凹部１０２を容器３に係合させる。
【００３７】
さらに、第二係合板１７を背面板１５から同じく容器３側へと略水平に折り曲げ、第二係合板１７の一部を第一係合板１６の一部の上に重複するように折り重ねる。このとき、先に説明した要領で、第二係合板１７の孔部１０１を蓋部３２に係合させる。
【００３８】
次に、延長板１８を第二係合板１７より外箱２の蓋部２１方向へ立ち上げるが、このとき、折り曲げ線１１３ではなく、折り曲げ線１１５において上方へと折り曲げ、立ち上げる。本実施態様の延長板１８は、その先端部が外箱２の開口端（側壁２２の上端）に達するように傾斜して配置される。
【００３９】
最後に、天板１９を外箱２の開口部を封止するように、すなわち、外箱２の蓋部２１を閉じたときに該蓋部２１の内側に沿って延在するように、延長板１８から略水平方向に折り曲げる。これらの作業により、図３に示す台紙１の組み立てが完了する。なお、本実施態様の台紙１は、延長板１８に対して、第二係合板１７と天板１９はそれぞれ反対方向へ折り曲げられるため、側面視では、Ｚ字状（もしくは本実施態様のような逆Ｚ字状）となっている。また、外箱２の側壁２２には、棒状物品４を収納する収納部２３が形成されているが、延長板１８の切り欠き部１０３により、棒状物品４と延長板１８とが干渉することはない。
【００４０】
図４は、本発明の包装箱に物品を収納した内部の状態を模式的に示したもので、本図ではより理解しやすいように、側板１３の記載を省略している。図に示すように、容器３の上方には外箱２のデッドスペースが生じているため、外箱２に外部から衝撃などを加えると、容器３はかかるデッドスペース方向に移動しようとする力が加わる。そこで、かかる移動を規制することが重要となる。
【００４１】
その点、本発明の包装箱では、台紙１の第一係合板１６と第二係合板１７が容器３の肩部を上から抑えるとともに、延長板１８が外箱２の蓋部２１との間で支えの役割を果たすため、容器３が上方へ移動することを確実に防ぐことができる。なお、第一係合板１６の上から第二係合板１７の一部が重複しているため、容器３の抑えの強度も十分に確保されている。
【００４２】
天板１９は、外箱２の蓋部２１とほぼ同一ないしやや小さい外寸に形成されており、収納時には蓋部２１の内側に沿って延在するため、延長板１８が外箱２内でずれ動くことを防ぎ、さらに、容器３から延長板１８を介して上方へ加わる力を天板１９の面で分散するため、延長板１８により蓋部２１が押し開けられることなどを確実に防ぐことができる。
【００４３】
なお、延長板１８は、斜め上方へと延伸して配置されるものに限らず、例えば、第二係合板１７より略垂直方向に立ち上げるものでも良いが、本実施態様のように斜め上方へ立ち上げた場合、第二係合板１７に対しては正面板１２方向へと力が加わり、第二係合板１７がより外れにくくなる。また、容器３を抑える力も、単に真下にかかるのではなく、外箱２の蓋部２１に当接した延長板１８の上端部（折り曲げ線１１４）より折り曲げ線１１５へと斜め方向にかかるため、容器３の横方向の揺れに対しても安定した保持力を発揮する。これらの理由により、容器３を安定的に固定保持するためには、斜め方向に立ち上げて、第二係合板１７、延長板１８、天板１９が、Ｚ字状（もしくは本実施態様のような逆Ｚ字状）となることが好ましい。
【００４４】
また、延長板１８を斜め方向に立ち上げる場合、本実施態様のように側壁２２側ではなく、側壁２２に対向する側壁方向へ立ち上げてもよい。この場合、延長板１８と天板１９の折り曲げ方向は図４とは反対となり、延長板１８と天板１９の連設部は右側に、天板１９の先端部は左側に配置される。すなわち、この組み立て方法によると、第二係合板１７、延長板１８、天板１９が、略コの字状（もしくは逆コの字状）となる。
【００４５】
次に、本発明の包装箱から物品を取り出す際の状態について、図５により説明する。まず、図４の状態で外箱２の蓋部２１を開け、次に、台紙１の天板１９を外箱２内から上方へと立ち上げる。この時、天板１９の指掛け部１０４に指を掛けることにより、簡単に天板１９を引き上げることができる。
【００４６】
そして、天板１９を指等で保持し、そのまま上方へと真っ直ぐ引き上げると、天板１９と延長板１８は直線状に伸びる。このとき、延長板１８側の孔部１０１は容器３の蓋部３２に係合しておらず、それに対して、第二係合板１７側の孔部１０１は係合状態が維持されているため、収納時には折り曲げられていた延長板１８の折り曲げ線１１５が伸び、その代わり、折り曲げ線１１３において延長板１８が折り曲げられて立ち上げられる。
【００４７】
かかる状態で、天板１９を保持したままさらに上方へと引き上げると、第二係合板１７は延長板１８により上方へ引っ張られるが、図２（ｂ）に示したように、孔部１０１の辺部１０１ｂが容器３の蓋部３２の下部に係合した状態となっているため、第二係合板１７が外れることなく、図５の状態のまま台紙１ごと容器３を引き上げて外箱２より取り出すことができる。なお、第一係合板１６の上から第二係合板１７の一部が重複しているため、外箱２から取り出した後においても、第一係合板１６と第二係合板１７は容器３に係合した状態が維持され、台紙１から容器３が外れて誤って落下することなどを防ぐことができる。
【００４８】
また、本実施態様の台紙の折り曲げ線１１３は、図２（ｂ）に示すように、係合時に容器３の蓋部３２の中心、すなわち、容器３の中心とほぼ一致するように形成されている。これにより、図５の取り出し時の状態で、延長板１８を介して天板１９から伝わる上方へ引き上げる力が、容器３の中心に働くことになるため、引き上げ時に容器３の重心が傾いたりせずに姿勢が安定し、よりスムーズに外箱２から取り出すことが可能となる。
【００４９】
収納時は第一係合板１６と第二係合板１７を容器３に係合させ、天板１９を保持した状態で台紙１ごと外箱２内へと真っ直ぐ降ろしていけばよい。このように、本発明の包装箱によれば、収納物品よりも深い外箱から片手で簡単に物品を収納、取り出すことが可能である。
【００５０】
図６は、本発明の包装箱の台紙１における異なる実施態様である。この態様では、延長板１８が連設された辺部とは対向する天板１９の辺部に、さらに、第二延長板１８１を設けられている。かかる第二延長板１８１は、蓋部２１の内側に沿って延在するように配置された天板１９より垂下し、正面板１２もしくは背面板１５と外箱２の側壁の間に挿し込まれ、その先端部が外箱２の底部に当接するように配置される。かかる第二延長板１８１を設けることにより、容器３の固定保持力と包装箱の強度が向上する。
【００５１】
図７は、本発明の包装箱の台紙１におけるさらに異なる実施態様である。この態様では、第二延長板１８１の先端側に、左右へ突出する耳部１８３を設けている。かかる耳部１８３の手前には、略Ｖ字状の切り欠き１８２が形成されており、かかる切り欠き１８２側の耳部１８３の辺部には、切り欠き１８２方向へ突出する係止突起１８３ａが形成されている。さらに、延長板１８側の孔部１０１は略矩形に形成されており、その左右両辺がそのまま天板１９側に延伸するように係止溝１０１ｃが形成されている。
【００５２】
本実施態様のものは、第二延長板１８１を天板１９より垂下し、耳部１８３の係止突起１８３ａにより延長板１８の孔部に係止させる。具体的には、第二延長板１８１を天板１９より垂下させ、折り曲げ線１１７において耳部１８３を延長板１８側へ向くように折り曲げる。そして、耳部１８３の係止突起１８３ａを孔部１０１の係止溝１０１ｃに挿入し、係止する。かかる構成により、第二延長板１８１は延長板１８に対して固定され、強度がより向上する。  
【００５３】
本発明の包装箱の材質については、一般的な包装箱に使用される素材であれば特に限定はされないが、台紙１についてはある程度の剛性を備えた紙、合成樹脂などが好ましい。具体的には、和紙、上質紙、中質紙、コート紙、ボール紙、カード紙、コートボール紙、コートカード紙、アルミや合成樹脂に蒸着させたアルミ等を表面被覆した蒸着紙等の紙類や、ポリプロピレン、ポリエチレンテフレタート(ＰＥＴ)などの透明合成樹脂や不透明合成樹脂等の合成樹脂類を適宜用いることができる。
【符号の説明】
【００５４】
１  …  …  台紙
２  …  …  外箱
３  …  …  容器
４  …  …  棒状物品
１１  …  …  底板
１２  …  …  正面板
１３  …  …  側板
１４  …  …  側板
１５  …  …  背面板
１６  …  …  第一係合板
１７  …  …  第二係合板
１８  …  …  延長板
１９  …  …  天板    
２１  …  …  蓋部
２２  …  …  側壁
２３  …  …  収納部    
３１  …  …  本体
３２  …  …  蓋部
３３  …  …  頸部
１０１  …  …  孔部
１０１ａ  …  …  段差部
１０１ｂ  …  …  辺部
１０１ｃ  …  …  係止溝
１０２  …  …  凹部
１０２ａ  …  …  辺部
１０３  …  …  切り欠き部
１０４  …  …  指掛け部
１１１  …  …  折り曲げ線
１１２  …  …  折り曲げ線
１１３  …  …  折り曲げ線
１１４  …  …  折り曲げ線
１１５  …  …  折り曲げ線
１１６  …  …  折り曲げ線
１１７  …  …  折り曲げ線
１８１  …  …  第二延長板
１８２  …  …  切り欠き
１８３  …  …  耳部
１８３ａ  …  …  係止突起
【図１】
2020001721.tif 000003
【図２】
2020001721.tif 000004
【図３】
2020001721.tif 000005
【図４】
2020001721.tif 000006
【図５】
2020001721.tif 000007
【図６】
2020001721.tif 000008
【図７】
2020001721.tif 000009